【手続補正書】
【提出日】平成25年2月27日(2013.2.27)
【手続補正１】
【補正対象書類名】特許請求の範囲
【補正対象項目名】全文
【補正方法】変更
【補正の内容】
【特許請求の範囲】
【請求項１】
当り抽選に当選したことを契機として、遊技盤に配設された大入賞口を開状態に動作させるラウンド遊技を複数回にわたって実行する当り遊技を付与し、当該当り遊技の終了後に前記当り抽選に当選する確率を低確率から高確率に変動させる確率変動状態を付与可能な遊技機において、
前記当り抽選に当選した場合に前記当り遊技の種類を決定する当り遊技種決定手段と、
前記当り遊技種決定手段が決定した当り遊技の種類に応じて前記大入賞口の開閉状態を制御する開閉制御手段と、
前記当り遊技の終了後の遊技状態を制御して前記確率変動状態を付与する付与手段と、を備え、
前記当り遊技の種類には、第１特殊当り遊技と、第２特殊当り遊技と、第１特別当り遊技と、第２特別当り遊技と、を含み、
前記第１特殊当り遊技及び前記第２特殊当り遊技では、各ラウンド遊技において前記大入賞口を開状態としてから閉状態とする特殊単位動作が１回行われ、
前記第１特別当り遊技及び前記第２特別当り遊技では、前記複数回のラウンド遊技のうち最初のラウンド遊技において、前記特殊単位動作と前記特殊単位動作よりも前記開状態の時間を長時間に定めた特別単位動作とが行われ、
前記開閉制御手段は、
前記当り遊技種決定手段が各特殊当り遊技、及び各特別当り遊技の何れかを決定した場合には、前記当り遊技が開始してから第１回数に達する迄の間の単位動作として前記特殊単位動作で前記大入賞口を制御し、
前記当り遊技種決定手段が前記第２特殊当り遊技、及び前記第２特別当り遊技の何れかを決定した場合には、前記第１回数の単位動作が終了してから第２回数に達する迄の間の単位動作として前記特殊単位動作で前記大入賞口を制御し、
前記当り遊技種決定手段が前記第１特別当り遊技を決定した場合には、前記最初のラウンド遊技において、前記第１回数の特殊単位動作が終了した後の特別単位動作として第１特別単位動作で前記大入賞口を制御し、
前記当り遊技種決定手段が前記第２特別当り遊技を決定した場合には、前記最初のラウンド遊技において、前記第２回数の特殊単位動作が終了した後の特別単位動作として前記第１特別単位動作よりも前記開状態の時間を短時間に定めた第２特別単位動作で前記大入賞口を制御するようになっており、
前記付与手段は、前記第１特殊当り遊技、又は前記第１特別当り遊技の終了後に前記確率変動状態を付与する割合と比較して、前記第２特殊当り遊技、又は前記第２特別当り遊技の終了後に前記確率変動状態を付与する割合が高い割合となるように前記遊技状態を制御する遊技機。
【請求項２】
前記開閉制御手段は、各単位動作間における前記大入賞口の閉鎖時間を同一時間に制御する請求項１に記載の遊技機。
【請求項３】
遊技演出を実行する演出実行手段をさらに備え、
前記演出実行手段は、
前記各特殊当り遊技、及び前記各特別当り遊技において、前記当り遊技の開始に伴って前記ラウンド遊技の開始前に共通オープニング演出を実行するとともに、
前記第１特殊当り遊技におけるラウンド遊技の開始に伴って第１通常演出内容による遊技演出を実行し、
前記第１特別当り遊技におけるラウンド遊技の開始に伴って第１通常演出内容とは異なる第２通常演出内容による遊技演出を実行し、
前記第２特殊当り遊技、及び前記第２特別当り遊技におけるラウンド遊技の開始に伴って各通常演出内容とは異なる特定演出内容による遊技演出を実行し、前記第２特殊当り遊技においては前記特定演出内容のうち第１特定演出内容による遊技演出を実行する一方で、前記第２特別当り遊技においては前記第１特定演出内容とは異なる第２特定演出内容による遊技演出を実行する請求項１又は請求項２に記載の遊技機。
【請求項４】
遊技者が操作可能な操作手段を備え、
前記第１通常演出内容及び前記第２通常演出内容は、前記操作手段の操作を含まない演出内容であり、
前記第１特定演出内容及び前記第２特定演出内容は、前記操作手段の操作を含む演出内容である請求項３に記載の遊技機。
【手続補正２】
【補正対象書類名】明細書
【補正対象項目名】０００８
【補正方法】変更
【補正の内容】
【０００８】
上記問題点を解決するために、請求項１に記載の発明は、当り抽選に当選したことを契機として、遊技盤に配設された大入賞口を開状態に動作させるラウンド遊技を複数回にわたって実行する当り遊技を付与し、当該当り遊技の終了後に前記当り抽選に当選する確率を低確率から高確率に変動させる確率変動状態を付与可能な遊技機において、前記当り抽選に当選した場合に前記当り遊技の種類を決定する当り遊技種決定手段と、前記当り遊技種決定手段が決定した当り遊技の種類に応じて前記大入賞口の開閉状態を制御する開閉制御手段と、前記当り遊技の終了後の遊技状態を制御して前記確率変動状態を付与する付与手段と、を備え、前記当り遊技の種類には、第１特殊当り遊技と、第２特殊当り遊技と、第１特別当り遊技と、第２特別当り遊技と、を含み、前記第１特殊当り遊技及び前記第２特殊当り遊技では、各ラウンド遊技において前記大入賞口を開状態としてから閉状態とする特殊単位動作が１回行われ、前記第１特別当り遊技及び前記第２特別当り遊技では、前記複数回のラウンド遊技のうち最初のラウンド遊技において、前記特殊単位動作と前記特殊単位動作よりも前記開状態の時間を長時間に定めた特別単位動作とが行われ、前記開閉制御手段は、前記当り遊技種決定手段が各特殊当り遊技、及び各特別当り遊技の何れかを決定した場合には、前記当り遊技が開始してから第１回数に達する迄の間の単位動作として前記特殊単位動作で前記大入賞口を制御し、前記当り遊技種決定手段が前記第２特殊当り遊技、及び前記第２特別当り遊技の何れかを決定した場合には、前記第１回数の単位動作が終了してから第２回数に達する迄の間の単位動作として前記特殊単位動作で前記大入賞口を制御し、前記当り遊技種決定手段が前記第１特別当り遊技を決定した場合には、前記最初のラウンド遊技において、前記第１回数の特殊単位動作が終了した後の特別単位動作として第１特別単位動作で前記大入賞口を制御し、前記当り遊技種決定手段が前記第２特別当り遊技を決定した場合には、前記最初のラウンド遊技において、前記第２回数の特殊単位動作が終了した後の特別単位動作として前記第１特別単位動作よりも前記開状態の時間を短時間に定めた第２特別単位動作で前記大入賞口を制御するようになっており、前記付与手段は、前記第１特殊当り遊技、又は前記第１特別当り遊技の終了後に前記確率変動状態を付与する割合と比較して、前記第２特殊当り遊技、又は前記第２特別当り遊技の終了後に前記確率変動状態を付与する割合が高い割合となるように前記遊技状態を制御することを要旨とする。
【手続補正３】
【補正対象書類名】明細書
【補正対象項目名】０００９
【補正方法】変更
【補正の内容】
【０００９】
請求項２に記載の発明は、請求項１に記載の遊技機において、前記開閉制御手段は、各単位動作間における前記大入賞口の閉鎖時間を同一時間に制御することを要旨とする。
【手続補正４】
【補正対象書類名】明細書
【補正対象項目名】００１０
【補正方法】変更
【補正の内容】
【００１０】
請求項３に記載の発明は、請求項１又は請求項２に記載の遊技機において、遊技演出を実行する演出実行手段をさらに備え、前記演出実行手段は、前記各特殊当り遊技、及び前記各特別当り遊技において、前記当り遊技の開始に伴って前記ラウンド遊技の開始前に共通オープニング演出を実行するとともに、前記第１特殊当り遊技におけるラウンド遊技の開始に伴って第１通常演出内容による遊技演出を実行し、前記第１特別当り遊技におけるラウンド遊技の開始に伴って第１通常演出内容とは異なる第２通常演出内容による遊技演出を実行し、前記第２特殊当り遊技、及び前記第２特別当り遊技におけるラウンド遊技の開始に伴って各通常演出内容とは異なる特定演出内容による遊技演出を実行し、前記第２特殊当り遊技においては前記特定演出内容のうち第１特定演出内容による遊技演出を実行する一方で、前記第２特別当り遊技においては前記第１特定演出内容とは異なる第２特定演出内容による遊技演出を実行することを要旨とする。
【手続補正５】
【補正対象書類名】明細書
【補正対象項目名】００１１
【補正方法】変更
【補正の内容】
【００１１】
請求項４に記載の発明は、請求項３に記載の遊技機において、遊技者が操作可能な操作手段を備え、前記第１通常演出内容及び前記第２通常演出内容は、前記操作手段の操作を含まない演出内容であり、前記第１特定演出内容及び前記第２特定演出内容は、前記操作手段の操作を含む演出内容であることを要旨とする。
【手続補正６】
【補正対象書類名】明細書
【補正対象項目名】０１４７
【補正方法】変更
【補正の内容】
【０１４７】
次に、上記実施形態及び別例から把握できる技術的思想について以下に追記する。
（イ）各通常演出内容、及び各特定演出内容には、前記ラウンド遊技の開始から、前記開閉制御手段が前記第１回数の単位動作を実行させる迄の間の演出内容として、同一の演出内容が定められている。